(57)【特許請求の範囲】
【請求項１】
第１の接続端子を収容する第１ハウジングと、前記第１接続端子に接続する第２の接続端子を収容して前記第１ハウジングの前面に嵌合接続される第２ハウジングと、前記第１ハウジングに回動可能に取り付けられるレバーと、を備え、
前記レバーは、
前記第１ハウジングの側面に回動可能に連結されると共に、前記第１ハウジングに装備された仮係止状態保持部による係止によって回転が規制されて仮係止位置に保持されるレバー本体と、
第２ハウジングの側面に装備されたカム軸が係合可能に前記レバー本体に形成されて、係合している前記カム軸を前記レバー本体の回動操作によって前記第１ハウジングの後端側に引き込んでこれらのハウジング相互を嵌合完了位置に移動させるカム溝と、
前記レバー本体が前記仮係止位置に保持されている状態で前記第１ハウジングと第２ハウジングとを嵌合開始位置に突き合わせたときに前記カム溝の始端に前記カム軸が進入するように前記レバー本体に形成されたカム導入口と、を備え、
前記第２ハウジングは、前記第１ハウジングと前記嵌合開始位置に突き合されたときに、前記レバーに設けられ、前記仮係止状態保持部により仮係止状態に保持された係止部に、所定の撓み変位を付与して前記仮係止状態保持部による係止を解除させる仮係止解除部を備えるレバー式コネクタであって、
前記ハウジング相互の嵌合操作初期で、前記仮係止解除部が前記係止部に撓み変位を付与する前に相手ハウジングと衝突してハウジング相互の嵌合を規制するフィーリング突起が、前記第１ハウジング及び第２ハウジングの何れかに装備され、
前記フィーリング突起は、前記仮係止解除部が前記仮係止状態保持部による係止を解除する際に必要とされる荷重よりも大きな嵌合方向の荷重をハウジング相互間に作用させると、ハウジング相互の嵌合規制を解除して、前記仮係止解除部が前記仮係止状態保持部による係止を解除させる位置まで、一気にハウジング相互の嵌合を進めることを特徴とするレバー式コネクタ。
【請求項２】
前記フィーリング突起が、前記仮係止解除部として前記第２ハウジングに装備されるリブ上に突設された突起であることを特徴とする請求項１に記載のレバー式コネクタ。
【発明の詳細な説明】
【技術分野】
【０００１】
本発明は、レバー式コネクタに関する。
【背景技術】
【０００２】
下記特許文献１には、第１ハウジングと第２ハウジングとが嵌合開始位置に突き合されるまで、第１ハウジングに回動可能に装備されているレバーの回転を規制する仮係止状態保持部を第１ハウジングに装備したレバー式コネクタが開示されている。
【０００３】
前記仮係止状態保持部は、第１ハウジングと第２ハウジングとを嵌合開始位置に突き合わせた際に、第２ハウジングに装備されたカム軸が第１ハウジングのレバー上のカム溝の始端にスムースに係合するように、レバーを所定の向きに仮係止しておくものである。
【０００４】
また、特許文献１のレバー式コネクタのように仮係止状態保持部を装備するコネクタにおいては、ハウジング相互を嵌合開始位置に突き合わせた際に、前記仮係止状態保持部による仮係止を解除する仮係止解除部を第２ハウジングに装備することが研究されている。
【０００５】
図６及び図７は、上記の仮係止状態保持部や仮係止解除部を装備したレバー式コネクタの一例を示している。
【０００６】
図６及び図７において、符号１００は第１ハウジングであり、符号１１０は第１ハウジング１００に嵌合接続される第２ハウジング、符号１２０はハウジング相互の嵌合接続を容易にするために第１ハウジング１００に回動可能に装備されたレバーである。レバー１２０は、第１ハウジング１００の側面に立設されたレバー支持軸１０１により、回動可能に支持されている。
【０００７】
また、図示はしていないが、第２ハウジング１１０の側面にはカム軸が突設され、レバー１２０には前記カム軸が嵌合するカム溝が装備されている。
【０００８】
レバー１２０のカム溝は、第１ハウジング１００と第２ハウジング１１０とを嵌合開始位置に突き合わせた状態でレバー１２０を回動操作させると、第２ハウジング１１０のカム軸を嵌合方向に引き込んで、第１ハウジング１００と第２ハウジング１１０とを嵌合完了位置に移動させる溝である。
【０００９】
図６及び図７に示したレバー式コネクタにおいて、符号１２２は第１ハウジング１００に装備された仮係止状態保持部（不図示）に係止される仮係止用弾性片であり、符号１１２は仮係止解除部として第２ハウジング１１０に設けられた仮係止解除リブである。
【００１０】
仮係止用弾性片１２２は、レバー１２０に一体形成された弾性片で、第１ハウジング１００に装備された仮係止状態保持部に係止されることで、レバー１２０の回転が規制され、レバー１２０が仮係止位置に保持される。
【００１１】
仮係止解除リブ１１２は、第１ハウジング１００と第２ハウジング１１０とを突き合わせる嵌合操作をした際に、第１ハウジング１００に形成されているガイド溝１０３により仮係止用弾性片１２２の下方に誘導され、仮係止用弾性片１２２の下面に当接することで、図８に矢印Ｙに示すように、仮係止用弾性片１２２に上方への撓み変位を付与して、仮係止状態保持部による仮係止状態を解除する。
【００１２】
仮係止解除リブ１１２の先端には、仮係止用弾性片１２２との当接を円滑にするために、テーパ面１１２ａが設けられている。
【先行技術文献】
【特許文献】
【００１３】
【特許文献１】特開２００９−１２３５３０号公報
【発明の概要】
【発明が解決しようとする課題】
【００１４】
ところが、上記のように仮係止用弾性片１２２に撓み変位を付与して仮係止状態保持部による仮係止状態を解除する構成の場合、仮係止用弾性片１２２の撓み変位が徐々に増加して行く過程で、仮係止状態保持部による係止力が徐々に低減して行くが、仮係止状態保持部による係止が完全に解除される前に、係止力の低下によりレバーの位置が仮係止位置から不用意に動いてしまい、その結果、第２ハウジング１１０のカム軸がレバー１２０に係合できなくなるハウジング相互の嵌合不良やレバーの脱落等の不都合が発生するおそれがあった。
【００１５】
そこで、本発明の目的は、上記課題を解消することに係り、ハウジング相互を嵌合させる際、レバーの位置が仮係止位置から不用意に動くことによってハウジング相互の嵌合不良やレバーの脱落等の不都合が発生することがなく、取り扱い性に優れたレバー式コネクタを提供することにある。
【課題を解決するための手段】
【００１６】
本発明の前述した目的は、下記の構成により達成される。
（１）第１の接続端子を収容する第１ハウジングと、前記第１接続端子に接続する第２の接続端子を収容して前記第１ハウジングの前面に嵌合接続される第２ハウジングと、前記第１ハウジングに回動可能に取り付けられるレバーと、を備え、
前記レバーは、
前記第１ハウジングの側面に回動可能に連結されると共に、前記第１ハウジングに装備された仮係止状態保持部による係止によって回転が規制されて仮係止位置に保持されるレバー本体と、
第２ハウジングの側面に装備されたカム軸が係合可能に前記レバー本体に形成されて、係合している前記カム軸を前記レバー本体の回動操作によって前記第１ハウジングの後端側に引き込んでこれらのハウジング相互を嵌合完了位置に移動させるカム溝と、
前記レバー本体が前記仮係止位置に保持されている状態で前記第１ハウジングと第２ハウジングとを嵌合開始位置に突き合わせたときに前記カム溝の始端に前記カム軸が進入するように前記レバー本体に形成されたカム導入口と、を備え、
前記第２ハウジングは、前記第１ハウジングと前記嵌合開始位置に突き合されたときに、前記レバーに設けられ、前記仮係止状態保持部により仮係止状態に保持された係止部に、所定の撓み変位を付与して前記仮係止状態保持部による係止を解除させる仮係止解除部を備えるレバー式コネクタであって、
前記ハウジング相互の嵌合操作初期で、前記仮係止解除部が前記係止部に撓み変位を付与する前に相手ハウジングと衝突してハウジング相互の嵌合を規制するフィーリング突起が、前記第１ハウジング及び第２ハウジングの何れかに装備され、
前記フィーリング突起は、前記仮係止解除部が前記仮係止状態保持部による係止を解除する際に必要とされる荷重よりも大きな嵌合方向の荷重をハウジング相互間に作用させると、ハウジング相互の嵌合規制を解除して、前記仮係止解除部が前記仮係止状態保持部による係止を解除させる位置まで、一気にハウジング相互の嵌合を進めることを特徴とするレバー式コネクタ。
【００１７】
（２）前記フィーリング突起が、前記仮係止解除部として前記第２ハウジングに装備されるリブ上に突設された突起であることを特徴とする上記（１）に記載のレバー式コネクタ。
【００１８】
上記（１）の構成によれば、ハウジング相互の嵌合操作初期で、第２ハウジング上の仮係止解除部が第１ハウジング上の仮係止状態保持部による係止部に撓み変位を付与する前に、一方のハウジングに装備されたフィーリング突起が相手ハウジングに衝突してハウジング相互の嵌合を規制する。そして、フィーリング突起による規制に抗してハウジング相互の嵌合を進めるべく、所定以上の大きな嵌合方向の荷重をハウジング相互間に作用させると、仮係止解除部が仮係止状態保持部による係止を解除させる位置まで、一気にハウジング相互の嵌合が進む。
【００１９】
そのため、ハウジング相互の嵌合操作の途中で、仮係止状態保持部による係止力が徐々に低減する冗長な状態変化を回避して、仮係止状態保持部による係止力の低減によってレバーの位置が仮係止位置から不用意に動くことを防止することができる。
【００２０】
その結果、ハウジング相互の嵌合途中で、レバーの位置が仮係止位置から不用意に動くことによってハウジング相互の嵌合不良やレバーの脱落等の不都合が発生することがなく、取り扱い性に優れたレバー式コネクタを提供することができる。
【００２１】
上記（２）の構成によれば、仮係止状態保持部による係止部に係止を解除させる撓み変位を付与する仮係止解除部としてのリブ上にフィーリング突起を装備するため、リブによる係止解除動作が開始される前にフィーリング突起と相手ハウジングとの衝突が発生するように、フィーリング突起の装備位置を選定することが容易になり、フィーリング突起を装備したレバー式コネクタの開発を容易にすることができる。
【発明の効果】
【００２２】
本発明によるレバー式コネクタによれば、ハウジング相互の嵌合操作初期で、第２ハウジング上の仮係止解除部が第１ハウジング上の仮係止状態保持部による係止部に撓み変位を付与する前に、一方のハウジングに装備されたフィーリング突起が相手ハウジングに衝突してハウジング相互の嵌合を規制する。そして、フィーリング突起による規制に抗してハウジング相互の嵌合を進めることで、仮係止解除部が仮係止状態保持部による係止を解除させる位置まで、一気にハウジング相互の嵌合が進む。
【００２３】
そのため、ハウジング相互の嵌合操作の途中で、仮係止状態保持部による係止力が徐々に低減する冗長な状態変化を回避して、仮係止状態保持部による係止力の低減によってレバーの位置が仮係止位置から不用意に動くことを防止することができる。
【００２４】
従って、ハウジング相互の嵌合途中で、レバーの位置が仮係止位置から不用意に動くことによってハウジング相互の嵌合不良やレバーの脱落等の不都合が発生することがなく、取り扱い性に優れたレバー式コネクタを提供することができる。
【図面の簡単な説明】
【００２５】
【図１】本発明に係るレバー式コネクタの一実施形態の分解斜視図である。
【図２】図１に示した第１ハウジングからレバーが取り外された状態の分解斜視図である。
【図３】一実施形態の第２ハウジングに装備された仮係止解除部としてのリブが、仮係止状態保持部による係止部に到達して、仮係止解除が始まる状態を示す部分斜視図である。
【図４】図２のＢ部の拡大図である。
【図５】一実施形態の第２ハウジングに装備されたフィーリング突起が第１ハウジングの前端部に衝突した状態を示す部分斜視図である。
【図６】仮係止状態保持部や仮係止解除部を備えた従来のレバー式コネクタの分解斜視図である。
【図７】図６に示したレバー式コネクタにおけるハウジング相互の嵌合開始初期の状態を示す斜視図である。
【図８】図７のＡ部の拡大図である。
【発明を実施するための形態】
【００２６】
以下、本発明に係るレバー式コネクタの好適な実施形態について、図面を参照して詳細に説明する。
【００２７】
図１〜図５は本発明に係るレバー式コネクタの一実施形態を示したもので、図１は一実施形態のレバー式コネクタの分解斜視図、図２は図１に示した第１ハウジングからレバーが取り外された状態の分解斜視図、図３は一実施形態の第２ハウジングに装備された仮係止解除部としてのリブが、仮係止状態保持部による係止部に到達して、仮係止解除が始まる状態を示す部分斜視図である。また、図４は図２のＢ部の拡大図、図５は一実施形態の第２ハウジングに装備されたフィーリング突起が第１ハウジングの前端部に衝突した状態を示す部分斜視図である。
【００２８】
本発明の一実施形態のレバー式コネクタ１は、図１に示すように、不図示の第１の接続端子を収容する第１ハウジング１０と、第２ハウジング２０と、レバー３０と、を備える。
【００２９】
第１ハウジング１０の後面には、該第１ハウジング１０から導出する電線を覆うカバー４０が、着脱可能に装着される。
【００３０】
第２ハウジング２０は、第１ハウジング１０に収容されている第１接続端子に接続する第２の接続端子（不図示）を収容して、第１ハウジング１０の前面に嵌合接続される。第２ハウジング２０の外側面には、該第２ハウジング２０を第１ハウジング１０に嵌合接続する際に、レバー３０と係合するカム軸２２が突設されている。
【００３１】
レバー３０は、第１ハウジング１０の両外側面（図１では上下面）に突設されたレバー支持軸１１に、回動可能に取り付けられる。
【００３２】
本実施形態におけるレバー３０は、第１ハウジング１０の両側面のレバー支持軸１１に回動可能に連結される一対の板状のレバー本体３１と、カバー４０の外側を跨いで一対のレバー本体３１相互を連結した回動操作部３２と、第２ハウジング２０の側面に装備されたカム軸２２が係合可能に前記一対のレバー本体３１の内面に形成される不図示のカム溝と、カム軸２２を前記カム溝の始端に出入りさせるために前記一対のレバー本体３１に形成される不図示のカム導入口と、を備える。
【００３３】
一対のレバー本体３１には、第１ハウジング１０の両外側面に装備された仮係止状態保持部１３に係止される仮係止用弾性片３３が、一体形成されている。本実施形態の場合、仮係止状態保持部１３は、仮係止用弾性片３３の裏面に係合する略多角錐状の突起である。
【００３４】
一対のレバー本体３１は、仮係止用弾性片３３が仮係止状態保持部１３に係止されることによって、レバー支持軸１１回りの回転が規制されて仮係止位置（図１に示した位置）に保持される。
【００３５】
ここに、仮係止位置とは、レバー本体３１上の前記カム導入口が第１ハウジング１０に突き合される第２ハウジング２０上のカム軸２２に向かって開口し、ハウジング相互を嵌合開始位置に突き合わせたときに、カム軸２２が前記カム導入口を介して前記カム溝の始端に進入可能な位置である。
【００３６】
レバー本体３１の内面に形成される不図示のカム溝は、当該カム溝に係合したカム軸２２を、レバー本体３１の回動操作によって第１ハウジング１０の後端側に引き込んで、これらのハウジング相互を嵌合完了位置に移動させる溝である。
【００３７】
本実施形態のレバー式コネクタ１の場合、第２ハウジング２０は、仮係止解除部としてのリブ２４と、このリブ２４が仮係止解除動作を開始する前に所定の衝突感（触感）を発生させるフィーリング突起２５と、を備える。
【００３８】
リブ２４は、ハウジング相互の嵌合方向（図１の矢印Ｘ１方向）に沿って延設されている。そして、ハウジング相互の嵌合時に、このリブ２４が進入するガイド溝１４が、第１ハウジング１０に装備されている。ガイド溝１４は、ハウジング相互の嵌合時にリブ２４が挿通可能なように、仮係止状態保持部１３の際を、ハウジング相互の嵌合方向に沿って形成されている。レバー本体３１が仮係止位置に位置決めされているとき、仮係止用弾性片３３は、ガイド溝１４を挿通するリブ２４が接触可能なように、ガイド溝１４の上に被さっている。
【００３９】
リブ２４は、ハウジング相互の嵌合操作により第２ハウジング２０と第１ハウジング１０とが嵌合開始位置に突き合されたときに、図３に矢印Ｐ１で示すように、仮係止状態保持部１３による係止部となっている仮係止用弾性片３３に突き当たって、該仮係止用弾性片３３に対して、仮係止状態保持部１３との係合を解除する方向（図１及び図３の矢印Ｙ２方向）に所定量の撓み変位を付与して、仮係止状態保持部１３による係止を解除させる。
【００４０】
フィーリング突起２５は、図４に示すように、リブ２４の上面に突設された略半球状の突起である。
【００４１】
このフィーリング突起２５は、ハウジング相互の嵌合操作初期で、リブ２４が係止部である仮係止用弾性片３３に撓み変位を付与する前に、図５に矢印Ｐ２で示すように、相手ハウジングである第１ハウジング１０の前端上縁部１５と衝突して、ハウジング相互の嵌合を規制する。
【００４２】
また、フィーリング突起２５は、リブ２４が仮係止状態保持部１３による係止を解除する際に必要とされる荷重Ｗ１よりも大きな嵌合方向の荷重Ｗ２をハウジング相互間に作用させると、ハウジング相互の嵌合規制を解除して、リブ２４が仮係止状態保持部１３による係止を解除させる位置まで、一気にハウジング相互の嵌合を進めるように、突起の大きさや、突起の弾性強度が設定されている。
【００４３】
以上に説明した一実施形態のレバー式コネクタ１では、ハウジング相互の嵌合操作初期で、第２ハウジング２０上のリブ２４が第１ハウジング１０上の仮係止状態保持部１３による係止部である仮係止用弾性片３３に撓み変位を付与する前に、図５に示したように第２ハウジング２０に装備されたフィーリング突起２５が相手ハウジングの前端上縁部１５に衝突して、ハウジング相互の嵌合を規制する。そして、フィーリング突起２５による規制に抗してハウジング相互の嵌合を進めるべく、所定以上の大きな嵌合方向の荷重Ｗ２をハウジング相互間に作用させると、リブ２４が仮係止状態保持部１３による係止を解除させる位置まで、一気にハウジング相互の嵌合が進む。
【００４４】
そのため、ハウジング相互の嵌合操作の途中で、仮係止状態保持部１３による係止力が徐々に低減する冗長な状態変化を回避して、仮係止状態保持部１３による係止力の低減によってレバー３０の位置が仮係止位置から不用意に動くことを防止することができる。
【００４５】
その結果、ハウジング相互の嵌合途中で、レバー３０の位置が仮係止位置から不用意に動くことによってハウジング相互の嵌合不良やレバー３０の脱落等の不都合が発生することがなく、取り扱い性に優れたレバー式コネクタを提供することができる。
【００４６】
また、以上に説明した一実施形態のレバー式コネクタ１では、仮係止状態保持部１３による係止部に係止を解除させる撓み変位を付与する仮係止解除部としてのリブ２４上にフィーリング突起２５を装備するため、リブ２４による係止解除動作が開始される前にフィーリング突起２５と第１ハウジング１０との衝突が発生するように、フィーリング突起２５の装備位置を選定することが容易になり、フィーリング突起２５を装備したレバー式コネクタの開発を容易にすることができる。
【００４７】
なお、本発明のレバー式コネクタ１は、前述した実施形態に限定されるものでなく、適宜な変形、改良等が可能である。
【００４８】
例えば、フィーリング突起２５を装備するハウジングは、上記実施形態に示した第２ハウジング２０に限定するものではなく、第１ハウジング１０にフィーリング突起２５を装備することも可能である。また、フィーリング突起２５を装備する位置も、リブ２４としてのリブ２４上に限るものではなく、リブ２４以外の部位に装備することも可能である。また、フィーリング突起２５の形状も、適宜に設計変更可能である。
【符号の説明】
【００４９】
１  レバー式コネクタ
１０  第１ハウジング
１３  仮係止状態保持部
２０  第２ハウジング
２４  リブ（仮係止解除部）
２５  フィーリング突起
３０  レバー
３１  レバー本体
【図１】
0005788711.tif 000002
【図２】
0005788711.tif 000003
【図３】
0005788711.tif 000004
【図４】
0005788711.tif 000005
【図５】
0005788711.tif 000006
【図６】
0005788711.tif 000007
【図７】
0005788711.tif 000008
【図８】
0005788711.tif 000009